(57)【特許請求の範囲】
【請求項１】
打撃による振動を検出して出力する電子打楽器において、
外周にリム部を有する中空円筒状の胴と、
その胴の内周であって、前記リム部の上端より下方に配設される平面を有するヘッドと、
そのヘッドの下面の内周に当接し、前記胴が形成する円筒の内側に配接される円筒状のヘッド支持部材と、
前記ヘッドの外周を囲繞するとともに前記胴の内周に配設されて前記ヘッドに張力を付与する円環状のフープと、
前記ヘッドの振動を検出するヘッドセンサとを備え、
前記フープは、前記ヘッド支持部材に連接されたフレームに形成された複数のメネジにネジ止めされる複数のボルトの頭が前記フープの上面より突出しないように前記ボルトの頭を収納するボルト頭収納孔を有し、前記フープの上面が前記ヘッドの上面とほぼ面一に形成され、
前記胴と前記ヘッド支持部材とは、樹脂により一体に形成されていることを特徴とする電子打楽器。
【発明の詳細な説明】
【技術分野】
【０００１】
本発明は、電子打楽器に関し、特に、リム部とヘッドに張力を付与するフープ部とを別体に形成することにより容易に演奏を行うことができる電子打楽器に関するものである。
【背景技術】
【０００２】
従来より、種々の電子打楽器が提案されており、これらの中には、例えば、アコースティック・ドラムを模したいわゆる電子ドラムがある。この電子ドラムは、打撃による振動を検出するセンサを備えており、そのセンサの検出信号に基づいて音源を制御して、打撃に応じた楽音を生成するように構成されている。
【０００３】
ここで、アコースティック・ドラムの演奏では、打面（ヘッド）のみを打撃する通常の演奏に加え、いわゆるリムショットという演奏方法により、演奏の幅を広げることが行われる。このリムショットには、一般に２種類の奏法があり、リムと打面（ヘッド）とを同時に打撃して、ドラム独特の倍音効果を演出するオープンリムショットと、リムのみを打撃して、「カツカツ」というパーカッシブな音を演出するクローズドリムショットとがある。
【０００４】
そのため、従来の電子打楽器としては、中空の胴部の上面に配設される打撃面としてのヘッドと、そのヘッドへの打撃による振動を検出するヘッドセンサと、リムへの打撃による振動を検出するリムセンサとを備え、これら２つのセンサによる検出信号に基づいて、リムショットをも再現可能に構成されたものが提案されている（例えば、特許文献１）。
【特許文献１】特開２００４−１９８６５７号公報
【発明の開示】
【発明が解決しようとする課題】
【０００５】
しかしながら、上述した構造では、リムによりヘッドの外周を胴部にねじで螺着するように構成されるため、ヘッドの張力を調整すると、ヘッドとリムの先端との高さが変化し、リムショットの演奏が難しくなる。例えば、ヘッドが新しい時は、ヘッドの上面とリムの先端との距離が長いが、使用しているとヘッドが伸び、張力を同一に保つために、ヘッドに張力を付与するねじを回す。すると、リムの先端とヘッドの上面との距離が短くなる。上記の通り、リムショットの演奏では、スティックの先端でヘッドの上面をたたくと同時にスティックのほぼ中央部でリムをたたく奏法が行われ、ヘッドの上面とリムの先端との距離が変わると、この奏法が困難になるという問題点があった。
【０００６】
更に、上述したリムの取り付け構造では、リムが強打されるとリム部が下方に押され、ヘッドに張力を付与するねじに加わっていた力が一瞬、開放されねじが緩む原因となる。
【０００７】
また、従来の電子打楽器では、リムによりヘッドの外周を胴部にねじで螺着するように構成されるため、リムを打撃した場合に、その打撃による振動がヘッドに伝搬し、ヘッドの振動を検出するヘッドセンサに出力が発生する。そのために、ヘッドに対する打撃とリムに対する打撃とを独立して正確に検出することが困難であり、演奏者が意図した楽音が得られないという問題点もあった。
【０００８】
本発明は上述した問題点を解決するためになされたものであり、容易に演奏を行うことができる電子打楽器を提供することを目的としている。
【課題を解決するための手段】
【０００９】
この目的を達成するために、請求項１記載の電子打楽器は、打撃による振動を検出して出力するものであり、外周にリム部を有する中空円筒状の胴と、その胴の内周であって、前記リム部の上端より下方に配設される平面を有するヘッドと、そのヘッドの下面の内周に当接し、前記胴が形成する円筒の内側に配接される円筒状のヘッド支持部材と、前記ヘッドの外周を囲繞するとともに前記胴の内周に配設されて前記ヘッドに張力を付与する円環状のフープと、前記ヘッドの振動を検出するヘッドセンサとを備え、前記フープは、前記ヘッド支持部材に連接されたフレームに形成された複数のメネジにネジ止めされる複数のボルトの頭が前記フープの上面より突出しないように前記ボルトの頭を収納するボルト頭収納孔を有し、前記フープの上面が前記ヘッドの上面とほぼ面一に形成され、前記胴と前記ヘッド支持部材とは、樹脂により一体に形成されている。
【００１０】
【００１１】
【００１２】
【００１３】
【００１４】
【発明の効果】
【００１５】
請求項１記載の電子打楽器によれば、外周にリム部を有する中空円筒状の胴と、その胴の内周であって、前記リム部の上端より下方に配設される平面を有するヘッドと、そのヘッドの下面の内周に当接し、前記胴が形成する円筒の内側に配接される円筒状のヘッド支持部材と、前記ヘッドの外周を囲繞するとともに前記胴の内周に配設されてヘッドに張力を付与する円環状のフープとを備えているので、フープによりヘッドに加える張力を調整しても、リム部の上端のヘッド上面からの高さを一定に保持することができる。よって、リムショットの演奏を容易に行うことができるという効果がある。すなわち、リム部の上端のヘッド上面からの高さが変化することにより演奏が困難になることを防止することができる。
【００１６】
また、フープは、胴の内周に配設されるので、ヘッドの外周は小さくなり、一般的に高価なヘッドのサイズを小さくすることができるので、コストを下げることができる。
【００１７】
更に、フープの上面は、ヘッドの上面とほぼ面一に形成されているので、ヘッド上面とフープ上面とで、あたかもヘッド面を形成しているように見える。よって、打面が実際のヘッドの面より大きいように感じ、演奏しやすいという効果がある。
【００１８】
更に、フープは、ヘッド支持部材に連接されたフレームに形成された複数のメネジに複数のボルトによりネジ止めされているので、ボルトを調整することにより容易にヘッドに付与する張力を調整することができるとともに、リム部が打撃された打撃力が、フープには作用しないので、ボルトが緩むことを防止することができるという効果がある。
【００１９】
更に、フープは、ボルトの頭がフープの上面より突出しないようにボルトの頭を収納するボルト頭収納孔を有するので、ボルトの頭がフープの上面から突出することがなく、ヘッド面があたかもフープ上面までを含む広い面のように見えるため、演奏しやすいという効果がある。
【００２０】
更に、胴とヘッド支持部材とは、樹脂により一体に形成されているので、安価に製造することができるという効果がある。
【００２１】
【発明を実施するための最良の形態】
【００２２】
以下、本発明の好ましい実施形態について、添付図面を参照して説明する。本発明の電子打楽器１は、スティック等を使用して演奏するいわゆる「電子ドラム」と称される電子打楽器であり、打撃による振動を検出するセンサを備えている。図示しない楽音装置は、そのセンサの検出信号に基づいて音源を制御して、打撃に応じた楽音を生成するように構成されており、その生成された楽音は、アンプ装置を介して、スピーカ装置から放音される。
【００２３】
図１は、本発明の一実施形態である電子打楽器１の外観斜視図である。まず、図１を参照して、電子打楽器１の外観構成について説明する。電子打楽器１は、図１に示すように、胴部２と、リムカバー３と、フープ４と、ヘッド５とを主に備えている。
【００２４】
図２は、これらの部材を分解した状態で示す分解斜視図であり、フープ４を螺着固定することによりヘッド５に張力を付与して固定し、リムカバー３は、胴部２の外周部２ａに嵌め込むことにより組み立て可能に構成されている。
【００２５】
胴部２は、電子打楽器１の骨格をなす部材であり、図２に示すように、例えば、樹脂材料により略中空円筒状に形成されている。胴部２の外周は、底部２ｇ（図４参照）からほぼ垂直に立設された外周部２ａにより円筒状に形成され、外周部２ａの上端の周囲には、リムカバー３が嵌合されて、リム部を構成する。
【００２６】
外周部２ａの内周には、外周部２ａと同心円の円筒状であって底部２ｇから立設し、底部２ｇと外周部２ａとは一体にヘッド支持部材２ｂが形成される。ヘッド支持部材２ｂは、その円筒の中心方向から放射状であって、胴部２に形成された底部２ｇに垂直に立設された複数のリブ２ｄにより支持されている。なお、底部２ｇの円筒中央部には、円形の孔２ｈが形成され、胴部２内の空気が自由に外部と行き来できる。
【００２７】
ヘッド支持部材２ｂの上端円周にヘッド５の下面が当接され、ヘッド５の外周に沿って円環状のフープ４が、ヘッド５に張力を付与しながらヘッド５の外周を囲繞する。
【００２８】
リムカバー３は、円筒形の胴部２の周囲の上端に嵌め込まれるゴム製のカバーであり、胴部２が比較的硬質の樹脂により形成されているのに対し、比較的弾力のあるゴムで覆うことにより、リム部をスティックの腹等で打撃した場合の、打撃感を良好にしている。なお、特許請求の範囲に記載のリム部は、このリムカバー３と外周部２ａとにより形成される
部分が該当する。
【００２９】
フープ４は、ヘッド５の円環状のヘッド枠５ｂに当接するフープ本体４ａに、係合ボルト７が挿入されるボルト孔４ｂと、係合ボルト７の頭部を収納するボルト頭収納孔４ｃとが円周を６等分した位置に形成されている。また、胴部２の外周部２ａの内側であって、ヘッド支持部材２ｂの外側の底部２ｇには、円周を６等分した位置に係合ボルト７が螺入されるメネジ２ｅが形成されている（図３参照）。
【００３０】
ヘッド５は、スティック等により打撃される打撃面として構成される部位であり、合成繊維を編み上げた網状素材や合成樹脂により形成されたフィルム状素材からなる打撃面部材５ａを金属材料等からなる正面視略円環状のヘッド枠５ｂに接着して構成されている。
【００３１】
係合ボルト７は、フープ４を胴部２に螺合結合し、フープ４によりヘッド５に張力を付与するものであり、鉄鋼により形成されている。
【００３２】
ここで、ヘッド５を電子打楽器１に組み付ける場合には、まず、胴部２のヘッド支持部材２ｂに上端側（図１上側）にヘッド５を載置し、フープ４のボルト孔４ｂにそれぞれ係合ボルト７を挿入し、ヘッド５のヘッド枠５ｂを覆うようにかぶせて、各係合ボルト７を胴部２に形成されたメネジ２ｅに螺入する。
【００３３】
これにより、フープ４とヘッド支持部材２ｂとでヘッド５を挟持し、係合ボルト７の締め付け具合により、ヘッド５に付与する張力を調整することができる。また、リムショットが行われる場合は、外周部２ａの上端が打撃され、フープ４が直接打撃されることがないために、係合ボルト７が緩むことがない。
【００３４】
胴部２には、打楽器用のスタンド等に組み付けるための取付部２ｃが胴部２から突出して形成され（図２下方）、スタンドなどの棒状の支柱が挿入されるロッド孔２ｆが形成されている。このロッド孔２ｆには、挿入されたロッドを挟持する機構が形成され、その機構を駆動するハンドル８が備えられている。このハンドル８を右方向に回すとロッド孔２ｆに挿入されたロッドを挟持し、左方向に回すとロッドを開放するように構成されている。
【００３５】
胴部２を形成する円筒の中心部を挟み取付部２ｃとは反対側であってヘッド支持部材２ｂが形成する円筒の内側には、ヘッドセンサ２１とリムセンサ３１とが配設されている。ヘッドセンサ２１は、胴部２の底部２ｇ（図３参照）から立設された２本の支柱の上に張設された支持板１１の上に貼着され、リムセンサ３１は、底部２ｇに貼着されている。
【００３６】
図３は、フープ４とヘッド５とを外した場合の電子打楽器１を示す平面図である。図３において、胴部２の中心の左上側には、ヘッドセンサ２１およびリムセンサ３１それぞれにより検出された電気信号を出力するためのステレオジャック９が備えられている。
。ヘッドセンサ２１およびリムセンサ３１により検出された電気信号は、このステレオジャック９に挿入されるステレオプラグにより、それぞれ独立して出力される。
【００３７】
図４は、電子打楽器１の係合ボルト７の軸心を通りヘッド５の打面５ａに垂直な面で切断した場合の断面を示す断面図である。図４（ａ）は、（ｂ）に示す断面図の断面の位置を示す平面図であり、図４（ｂ）は、その断面図である。
【００３８】
図４（ｂ）が示すように、胴部２の上端にリムカバー３が嵌合され、そのリムカバー３の上端より低い位置にヘッド５の打面５ａが配置される。ヘッド５のヘッド枠５ｂは、フープ４のフープ本体４ａに当接し、フープ４が係合ボルト７を胴部２の底部２ｇに形成されたメネジ２ｅに螺合されることにより押下される。
【００３９】
このようにしてヘッド５がフープ４により組み付けられた状態では、ヘッド５の上面とフープ４の上面とは略、面一になるように形成されている。このことにより、ヘッド５の上面とフープ４の上面とで、あたかも打面を形成しているように見えるので、演奏者は打面を広く感じ、演奏しやすいという効果がある。
【００４０】
また、フープ４には、係合ボルト７が挿入されるボルト孔４ｂが円周を６等分した位置に形成され、ボルト孔４ｂの上方には、係合ボルト７の頭を収納するボルト頭収納孔４ｃが形成されているので、係合ボルト７の頭がフープ４の上面から突出しない。よって、係合ボルト７の頭がフープ４の上面から突出することにより、演奏者が、打面を狭く感じるのを防止している。
【００４１】
ヘッド５は、上述したように、正面視略円環状に形成されるヘッド枠５ｂに網状又はフィルム状素材からなる打撃面部材５ａを接着して構成されており、図４に示すように、そのヘッド枠５ｂをヘッド支持部材２ｂの外周に外嵌することにより、打撃面としての打撃面部材５ａが胴部２の上端面（図４上側）に展張されている。展張された打撃面部材５ａの下面（図４下側面）には、ヘッドセンサ２１が当接されている。
【００４２】
ここで、網状素材からなる打撃面部材５ａを使用して打撃面を構成した場合には、打撃面の空気抵抗を低減することできるので、スティック等による打撃時の良好な打撃感を得ることができると共に、打撃音が低減されるので、スピーカ装置からの楽音のみを演奏者に聴取させることができる。
【００４３】
なお、打撃による打撃面部材５ａの振動は、打撃面部材５ａ内のみで伝播するため、その振動の影響を胴部２に与えることは殆ど無く、従って、かかる打撃面部材５ａの振動は、ヘッドセンサ２１によってのみ検出され、後述するリムセンサ３１により誤検出されることは無い。また、打撃面部材５ａの張力は、係合ボルト７のメネジ２ｅへの螺入量を適宜変更することにより、演奏者の好みや奏法に応じて、任意に調整することができる。
【００４４】
次に、図５を参照して、ヘッドセンサ２１およびリムセンサ３１について説明する。図５（ａ）は、（ｂ）に示す断面図の断面の位置を示す平面図であり、図５（ｂ）は、その断面図である。
【００４５】
ヘッドセンサ２１は、ヘッド５の振動を検出するためのセンサ装置であり、圧電素子２２と、クッション性両面テープと、その圧電素子２２等がクッション部材２３に覆設されて構成されている。圧電素子２２は、ピエゾなどの振動を電気信号に変換する振動検出センサであり、図示しない出力信号線を備えた略円板状体に形成されている。また、圧電素子２２の上下面には、後述するクッション部材２３及びクッション性両面テープとがそれぞれ貼着されている。
【００４６】
なお、出力信号線は、ステレオジャック９（図３参照）に接続されており、圧電素子２２からの電気信号は、ステレオジャック９を介して、図示しない楽音装置に出力される。
【００４７】
クッション性両面テープは、圧電素子２２を支持板１１に貼着するための部材であり、クッション層の上下面に接着層が積層されたいわゆる両面テープとして構成されている。このクッション性両面テープは、略円板状に形成されており、圧電素子２２は、このクッション性両面テープによって支持板１１に貼着される。
【００４８】
クッション部材２３は、ヘッド５からの振動を圧電素子２２に伝達するための部材であり、スポンジ等の弾性部材から略円筒状に形成され圧電素子２２に貼着される。クッション部材２３は、圧電素子２２よりも大径の円筒状体として形成され、その円筒状体の上面がヘッド５（打撃面部材５ａ）の下面に当接するように構成されている。
【００４９】
このように構成されたヘッドセンサ２１は、クッション部材２３の上面をヘッド５の下面に当接させつつ、クッション性両面テープによって、支持板１１上に貼着されている。
【００５０】
リムセンサ３１は、上述したように、胴部２の外周部２ａの振動を検出するためのセンサ装置であり、ヘッドセンサ２１と同様に、振動検出センサとしての圧電素子と、その圧電素子を底部２ｇへ貼着するためのクッション性両面テープとを主に備えて構成されている。なお、これら圧電素子やクッション性両面テープ等の構成は、ヘッドセンサ２１の場合と同様であるので、その説明は省略する。
【００５１】
リムセンサ３１は、クッション性両面テープによって、底部２ｇの上面側に貼着されている。このリムセンサ３１の貼着位置は、ヘッドセンサ２１の近傍であって、取付部２ｃからは、胴部２を形成する円筒の中心部を挟んで反対側の位置である。
【００５２】
以上説明したように、本実施形態の電子打楽器では、胴部２に形成されたリム部は、ヘッド５に張力を付与する機能を有さず、別部材であるフープ４によりヘッド５に張力を付与するように構成したので、リム部の上端のヘッド５の上面からの高さが常に一定に保持され、容易にリムショット演奏を行うことができる。
【００５３】
また、リム部が打撃により振動した場合に、従来のようにリム部によりヘッド５の外周を囲繞するとヘッド５にその振動が伝搬してヘッド５が打撃されたものと誤った検出が行われるが、本発明によれば、リム部は、直接ヘッド５と接触していないため、従来のような誤った検出を行うことがない。
【００５４】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【００５５】
例えば、上記実施形態では、リム部は、胴部２の外周を形成する外周部２ａにゴム製のリムカバー３を嵌め込むことにより形成するものとしたが、打撃感を問わなければ、リムカバー３を省いてもよい。
【図面の簡単な説明】
【００５６】
【図１】本発明の一実施形態である電子打楽器の外観斜視図である。
【図２】電子打楽器の分解斜視図である。
【図３】電子打楽器のヘッドとフープを外した平面図である。
【図４】電子打楽器の係合ボルトを含む断面における断面図である。
【図５】電子打楽器のセンサ部の断面図である。
【符号の説明】
【００５７】
１            電子打楽器
２            胴部（胴）
２ａ          外周部（リム部の一部）
２ｂ          ヘッド支持部材
２ｃ          取付部
３            リムカバー（リム部の一部）
４            フープ
４ｃ ボルト頭収納孔
５            ヘッド
５ａ          打撃部材（ヘッドの一部）
５ｅ メネジ
７            係合ボルト（ボルト）
２１          ヘッドセンサ
２２          圧電素子
２３          クッション部材
３１          リムセンサ
【図１】
0004721936.tif 000002
【図２】
0004721936.tif 000003
【図３】
0004721936.tif 000004
【図４】
0004721936.tif 000005
【図５】
0004721936.tif 000006